(57)【要約】      （修正有）【課題】頭部が大きくても、眼鏡をはめてこめかみ付近が痛くならない、サイドフレームが外側に向けて広がるメガネフレームの連結構造を提供する。【解決手段】フロントフレーム１の両端には、ネジ穴を有する接続部１０を設け、一方、サイドフレーム２の内側面には、横長で柱状の中空部を有した収容体１２を設け、前記収容体の一端には開口部を、もう一端である前記開口部の対面には、切り穴１４を設ける。さらに、前記接続部が、横長で柱状の中空部を有したスライド体３の両端の内、一端に設けた貫通穴を有するコマ部７と嵌め合わさってネジ１１で摺動可能に接続する。また、前記スライド体３は、中空部に繋がる第一開口部５と第二開口部６を設ける。また、前記中空部内に棒軸８が、前記棒軸の外周にスプリング９が伸縮可能に装着されて、第二開口部から収納され、前記棒軸の先部分が第一開口部より突出した状態で、前記サイドフレーム２内側面に設けた収容体１２に挿入し、前記棒軸の先部分を前記切り穴１４に埋設固定する。【選択図】図２
0003164133.tif 000002
【実用新案登録請求の範囲】
【請求項１】
フロントフレームの両端には、ネジ穴を有する接続部が設けられ、
一方、サイドフレームの内側面には、横長で柱状の中空部を有した収容体が設けられ、前記収容体の一端には開口部が、もう一端である前記開口部の対面には、切り穴が設けられており、
前記接続部が、
横長で柱状の中空部を有したスライド体の両端の内、一端に設けられた貫通穴を有したコマ部と嵌め合わさってネジで摺動可能に接続され、
また、前記スライド体は、中空部に繋がる第一開口部と第二開口部が設けられており、
前記中空部内に棒軸が、前記棒軸の外周にスプリングが伸縮可能に装着されて、第二開口部から収納され、前記棒軸の先部分が第一開口部より突出した状態で、
前記サイドフレーム内側面に設けられた収容体に挿入され、前記棒軸の先部分が前記切り穴に埋設固定されていることを特徴とするメガネフレームの連結構造。
【考案の詳細な説明】
【技術分野】
【０００１】
本考案は、メガネフレームの連結構造に関するものである。
【背景技術】
【０００２】
従来、メガネフレームの連結構造部分は、一般には、フロントフレームとサイドフレームとが蝶番構造により連結されている。
【０００３】
そして、サイドフレームが外側に向けて広げられるための工夫として、蝶番にリング状のバネを取り付けて僅かに広がりを可能にした考案や、蝶番の一部でバネを押さえながら広がりを可能にした考案が知られている。
【特許文献１】実願２００９−９１９号
【特許文献２】実開Ｓ５５−１０３６１９号
【考案の開示】
【考案が解決しようとする課題】
【０００４】
しかしながら、従来の構造では、サイドフレームが外側に向けて広がらないため、頭部の大きさによっては、眼鏡をはめると、こめかみ付近が痛くなり、その結果、少し広めに調整するには、自分ではなく眼鏡の専門店で治してもらわなければならなかった。
【０００５】
また、前者の考案では、僅かな広がりに過ぎないため、従来の構造での不具合を解消出来ず、後者の考案では、その構造上バネの強度が落ちると緩んでぐらつく危険があった。
【０００６】
本考案は、上記問題を解決するため成されたもので、頭部が大きくても、眼鏡をはめてこめかみ付近が痛くならない、サイドフレームが外側に向けて広がるメガネフレームの連結構造を提供する。
【課題を解決するための手段】
【０００７】
請求項１に記載の考案は、メガネフレームの連結構造が、フロントフレームの両端には、ネジ穴を有する接続部が設けられ、一方、サイドフレームの内側面には、横長で柱状の中空部を有した収容体が設けられ、前記収容体の一端には開口部が、もう一端である前記開口部の対面には、切り穴が設けられており、前記接続部が、横長で柱状の中空部を有したスライド体の両端の内、一端に設けられた貫通穴を有したコマ部と嵌め合わさってネジで摺動可能に接続され、また、前記スライド体は、中空部に繋がる第一開口部と第二開口部が設けられており、前記中空部内に棒軸が、前記棒軸の外周にスプリングが伸縮可能に装着されて、第二開口部から収納され、前記棒軸の先部分が第一開口部より突出した状態で、前記サイドフレーム内側面に設けられた収容体に挿入され、前記棒軸の先部分が前記切り穴に埋設固定されていることを特徴とする。
【考案の効果】
【０００８】
請求項１に記載の考案によれば、サイドフレームが外側に向けて広がるため、頭部が大きくても、眼鏡をはめてこめかみ付近が痛くならない。
【考案を実施するための最良の形態】
【０００９】
メガネフレームの連結構造において、フロントフレームの両端には、ネジ穴を有する接続部を設け、一方、サイドフレームの内側面には、横長で柱状の中空部を有した収容体を設け、前記収容体の一端には開口部を、もう一端である前記開口部の対面には、切り穴を設けておき、前記接続部が、横長で柱状の中空部を有したスライド体の両端の内、一端に設けた貫通穴を有するコマ部と嵌め合わさってネジで摺動可能に接続し、また、前記スライド体は、中空部に繋がる第一開口部と第二開口部を設けておき、前記中空部内に棒軸が、前記棒軸の外周にスプリングが伸縮可能に装着されて、第二開口部から収納され、前記棒軸の先部分が第一開口部より突出した状態で、前記サイドフレーム内側面に設けた収容体に挿入し、前記棒軸の先部分を前記切り穴に埋設固定する。
【実施例】
【００１０】
以下、図面を参照して本考案に係るメガネフレームのサイドフレームが、外方向にも広げられるメガネフレームの連結構造の実施例を説明する。
図１は、本考案のメガネフレームの連結構造を有したメガネの図である。図２は、本考案の、メガネフレームの連結構造の分解図であり、図３は、連結された構造図であり、図４はサイドフレームを外側に広げたときのスライド体とスプリングの変化図である。
【００１１】
本考案のメガネフレームの連結構造は、フロントフレーム１とサイドフレーム２がスライド体３を介して連結できるようにしたものである。
【００１２】
このスライド体３は、横長で柱状の中空部４を有し、前記中空部に繋がる第一開口部５と第二開口部６とが設けられた金属製の筐体であって、前記筐体の一端は、フロントフレーム１と接続する手段として貫通穴を有するコマ部７を有している。
【００１３】
また、中空部内に棒軸８が、前記棒軸の外周にスプリング９が伸縮可能に装着されて、第二開口部６から収納され、前記棒軸の先部分が第一開口部５より突出した状態になっており、前記棒軸の先部分が、サイドフレーム２と接続する手段となっている。
【００１４】
そして、フロントフレーム１の両端は、スライド体３のコマ部７と接続すべく、接続部１０を有し、この接続部１０は、スライド体３のコマ部７が挟めるよう、２枚のネジ穴を有するコマ部からなっており、挟み合わせて、ネジ１１で摺動可能に接続する。
【００１５】
一方、サイドフレーム２の内側面には、横長で柱状の中空部４を有する収容体１２が設けられ、前記収容体の一端には開口部１３が、もう一端である前記開口部の対面には、切り穴１４が設けられており、この切り穴１４を、スライド体の先部分と接続すべく、スライド体の先部分から、サイドフレーム内側面に設けた収容体１２に挿入し、前記棒軸８の先部分を前記切り穴１４に埋設固定する。
【００１６】
このとき、サイドフレーム２の柱状は、円柱でも良いが、出来れば、図２のようにスライド体３の形状に合わせた、角柱にするほうが挿入しやすくて良い。
【００１７】
こうして、メガネフレームの連結を完成させると、メガネをかけて、サイドフレームが外方向に屈折すると、図４のようにスライド体３と棒軸８は、反対方向に引っ張られると同時に、スプリング９が縮み、スライド体３の内部と収容体１２に隙間が出来る状態になり、メガネを外すと、縮んだスプリングが元に戻り、かける前の状態にもどる。
【００１８】
なお、フレーム部分は、プラスチック製でもメタル製でも上記構造であれば、同等の効果を有する。
【００１９】
このように、好ましい実施例を挙げて本考案を説明したが、本考案はその実施例に限定されるものではなく、本考案の要旨の範囲内で種々に改変できる。
【図面の簡単な説明】
【００２０】
【図１】本考案の、メガネフレームの連結構造を有したメガネの図である。
【図２】本考案の、メガネフレームの連結構造の分解図である。
【図３】本考案の、メガネフレームの連結された構造図である。
【図４】本考案の、サイドフレームを外側に広げたときのスライド体とスプリングの変化図である。
【符号の説明】
【００２１】
１  フロントフレーム
２  サイドフレーム
３  スライド体
４  中空部
５  第一開口部
６  第二開口部
７  コマ部
８  棒軸
９  スプリング
１０  接続部
１１  ネジ
１２  収容体
１３  開口部
１４  切り穴
【図１】
0003164133.tif 000003
【図２】
0003164133.tif 000004
【図３】
0003164133.tif 000005
【図４】
0003164133.tif 000006